(57)【要約】 【課題】  発光ダイオードから出射される光の利用効率の向上及び内部構造の視認性の低下を図る。【解決手段】  ランプハウジング２とカバー３によって形成された灯具外筐４と、灯具外筐の内部に配置され光源として機能する発光ダイオード１１、１１、・・・と、灯具外筐の内部に配置されると共に反射部１４を有し発光ダイオードから出射された光を反射部で反射する第１のリフレクター９、９、・・・と、灯具外筐の内部に配置されると共に反射部１６を有し発光ダイオードから出射され第１のリフレクターで反射された光を反射部で反射しカバーを透過させて照射する第２のリフレクター１０とを設け、カバーと発光ダイオードの間に該発光ダイオードを遮蔽する遮蔽部１５を配置した。【選択図】        図１
2010118215.tif 000002
【特許請求の範囲】
【請求項１】
ランプハウジングとカバーによって形成された灯具外筐と、
前記灯具外筐の内部に配置され光源として機能する発光ダイオードと、
前記灯具外筐の内部に配置されると共に反射部を有し前記発光ダイオードから出射された光を前記反射部で反射する第１のリフレクターと、
前記灯具外筐の内部に配置されると共に反射部を有し前記発光ダイオードから出射され前記第１のリフレクターで反射された光を前記反射部で反射し前記カバーを透過させて照射する第２のリフレクターとを備え、
前記カバーと前記発光ダイオードの間に該発光ダイオードを遮蔽する遮蔽部を配置した
ことを特徴とする車輌用灯具。
【請求項２】
少なくとも一つの前記発光ダイオードと少なくとも一つの前記第１のリフレクターと前記第２のリフレクターとを有する光学ユニットを複数配置し、
前記第２のリフレクターの少なくとも一部を前記遮蔽部として用いた
ことを特徴とする請求項１に記載の車輌用灯具。
【請求項３】
前記光学ユニットに複数の前記発光ダイオードと該複数の発光ダイオードから出射された光をそれぞれ反射する複数の第１のリフレクターとを設けた
ことを特徴とする請求項２に記載の車輌用灯具。
【請求項４】
前記発光ダイオードを、該発光ダイオードから出射される光を反射する前記第１のリフレクターに隣り合って位置する前記第１のリフレクターに取り付けるようにした
ことを特徴とする請求項３に記載の車輌用灯具。
【請求項５】
前記第２のリフレクターの反射部を一方向に延び長手方向へ行くに従って幅が広くなる形状に形成し、
前記複数の発光ダイオード及び前記複数の第１のリフレクターを前記第２のリフレクターの反射部の長手方向に並ぶように配列し、
前記第２のリフレクターの反射部の幅が狭い側から広い側へ行くに従って前記複数の第１のリフレクターの反射部で反射される光の拡散角が大きくなるようにした
ことを特徴とする請求項３又は請求項４に記載の車輌用灯具。
【発明の詳細な説明】
【技術分野】
【０００１】
本発明は車輌用灯具に関する。詳しくは、発光ダイオードから出射された光を反射する第１のリフレクターと第２のリフレクターを設けると共に発光ダイオードを遮蔽する遮蔽部を配置して発光ダイオードから出射される光の利用効率の向上及び内部構造の視認性の低下を図る技術分野に関する。
【背景技術】
【０００２】
車輌用灯具には、例えば、カバーとランプハウジングによって構成された灯具外筐の内部に、光源やリフレクターを有する光源ユニットが配置されたタイプがある。
【０００３】
このような構成とされた車輌用灯具には、光源として発光ダイオードが用いられ該発光ダイオードから側方へ向けて出射された光がリフレクターの反射面で反射されて外部へ照射されるようにしたものがある（例えば、特許文献１参照）。
【０００４】
特許文献１に記載された車輌用灯具にあっては、発光ダイオードが略側方を向いた状態で配置され、発光ダイオードから側方へ向けて出射された光がリフレクターの反射面で入射方向に対して略直交する方向へ反射されて外部へ照射される。
【０００５】
【特許文献１】特開２００３−２５７２２０号公報
【発明の開示】
【発明が解決しようとする課題】
【０００６】
ところが、特許文献１に記載された従来の車輌用灯具にあっては、発光ダイオードから出射された光の向きが制御されてリフレクターに到達する構成とはされていないため、発光ダイオードから出射されリフレクターの反射面に入射される光の十分な入射効率が確保されず、光の利用効率が不十分であると言う問題がある。
【０００７】
また、視認方向によってはカバーの外部から発光ダイオードが透けて見えてしまい、車輌用灯具の内部構造の視認性が高いと言う不具合もある。
【０００８】
そこで、本発明車輌用灯具は、上記した問題点を克服し、発光ダイオードから出射される光の利用効率の向上及び内部構造の視認性の低下を図ることを課題とする。
【課題を解決するための手段】
【０００９】
車輌用灯具は、上記した課題を解決するために、ランプハウジングとカバーによって形成された灯具外筐と、前記灯具外筐の内部に配置され光源として機能する発光ダイオードと、前記灯具外筐の内部に配置されると共に反射部を有し前記発光ダイオードから出射された光を前記反射部で反射する第１のリフレクターと、前記灯具外筐の内部に配置されると共に反射部を有し前記発光ダイオードから出射され前記第１のリフレクターで反射された光を前記反射部で反射し前記カバーを透過させて照射する第２のリフレクターとを設け、前記カバーと前記発光ダイオードの間に該発光ダイオードを遮蔽する遮蔽部を配置したものである。
【００１０】
従って、車輌用灯具にあっては、発光ダイオードから出射された光が二回反射されて照射されると共に遮蔽部によって発光ダイオードが遮蔽される。
【発明の効果】
【００１１】
本発明車輌用灯具は、ランプハウジングとカバーによって形成された灯具外筐と、前記灯具外筐の内部に配置され光源として機能する発光ダイオードと、前記灯具外筐の内部に配置されると共に反射部を有し前記発光ダイオードから出射された光を前記反射部で反射する第１のリフレクターと、前記灯具外筐の内部に配置されると共に反射部を有し前記発光ダイオードから出射され前記第１のリフレクターで反射された光を前記反射部で反射し前記カバーを透過させて照射する第２のリフレクターとを備え、前記カバーと前記発光ダイオードの間に該発光ダイオードを遮蔽する遮蔽部を配置したことを特徴とする。
【００１２】
従って、発光ダイオードから出射された光が第２のリフレクターの反射部に効率良く達するため、光の利用効率の向上を図ることができる。
【００１３】
また、遮蔽部によって発光ダイオードの遮蔽性が向上し、車輌用灯具の内部構造の視認性の低下を図ることができる。
【００１４】
請求項２に記載した発明にあっては、少なくとも一つの前記発光ダイオードと少なくとも一つの前記第１のリフレクターと前記第２のリフレクターとを有する光学ユニットを複数配置し、前記第２のリフレクターの少なくとも一部を前記遮蔽部として用いている。
【００１５】
従って、別に専用の遮蔽部を設ける必要がなく、部品点数の削減による車輌用灯具の製造コストの低減を図ることができる。
【００１６】
請求項３に記載した発明にあっては、前記光学ユニットに複数の前記発光ダイオードと該複数の発光ダイオードから出射された光をそれぞれ反射する複数の第１のリフレクターとを設けたので、発光ダイオードから出射された光の反射方向をそれぞれ第１のリフレクターによって各別に制御することが可能であり、機能性の向上による出射効率の向上を図ることができる。
【００１７】
請求項４に記載した発明にあっては、前記発光ダイオードを、該発光ダイオードから出射される光を反射する前記第１のリフレクターに隣り合って位置する前記第１のリフレクターに取り付けるようにしたので、別に発光ダイオードを取り付けるための専用の取付部を設ける必要がなく、部品点数の削減による車輌用灯具の製造コストの低減を図ることができる。
【００１８】
請求項５に記載した発明にあっては、前記第２のリフレクターの反射部を一方向に延び長手方向へ行くに従って幅が広くなる形状に形成し、前記複数の発光ダイオード及び前記複数の第１のリフレクターを前記第２のリフレクターの反射部の長手方向に並ぶように配列し、前記第２のリフレクターの反射部の幅が狭い側から広い側へ行くに従って前記複数の第１のリフレクターの反射部で反射される光の拡散角が大きくなるようにしている。
【００１９】
従って、光の利用効率の向上及び第２のリフレクターの反射部に対する光の均一性の向上を図ることができる。
【発明を実施するための最良の形態】
【００２０】
以下に、本発明車輌用灯具を実施するための最良の形態について添付図面を参照して説明する。
【００２１】
以下に示した最良の形態は、本発明車輌用灯具を光を後方へ向けて照射するターンシグナルランプ、テールランプ、ストップランプ等の車輌の後端部に配置される車輌用灯具に適用したものである。尚、本発明の適用範囲は光を後方へ向けて照射する車輌用灯具に限られることはなく、光源として発光ダイオードが用いられる各種の車輌用灯具に広く適用することができる。
【００２２】
車輌用灯具１は、図１に示すように、後方に開口された凹部を有するランプハウジング２と該ランプハウジング２の開口面を閉塞するカバー３とを備えている。ランプハウジング２とカバー３によって灯具外筐４が構成され、該灯具外筐４の内部空間は灯室５として形成されている。
【００２３】
灯室５には光学ユニット６、６、６が左右に離隔して配置されている（図１及び図２参照）。尚、光学ユニット６の数は三つに限られることはなく任意である。
【００２４】
光学ユニット６は、前後方向を向くベース板７と、ベース板７の後側にそれぞれ配置されたインナーレンズ８及び第１のリフレクター９、９、・・・と、インナーレンズ８及び第１のリフレクター９、９、・・・の後側に配置された第２のリフレクター１０と、光源として用いられた発光ダイオード１１、１１、・・・とを有している。発光ダイオード１１、１１、・・・はそれぞれ基板１２、１２、・・・上に搭載されている。
【００２５】
インナーレンズ８は略左右方向を向く向きで配置され、前後両端部がそれぞれベース板７の一端部と第２のリフレクター１０の一端部に取り付けられている。インナーレンズ８には所定のステップが形成されている。
【００２６】
第１のリフレクター９、９、・・・はベース板７と第２のリフレクター１０の間に、上下に離隔して配置されている。第１のリフレクター９、９、・・・は、最上部及び最下部に配置されたものを除き、上下方向を向く取付ベース１３と該取付ベース１３から略斜め上方へ突出された反射部１４とを有している。反射部１４の略斜め上方を向く面は反射面１４ａとして形成されている。
【００２７】
尚、第１のリフレクター９、９、・・・のうち、最上部に位置する第１のリフレクター９は取付ベース１３のみによって構成され、最下部に位置する第１のリフレクター９は反射部１４のみによって構成されている。
【００２８】
第２のリフレクター１０は、左右方向における一方の側に設けられた遮蔽部１５と左右方向における他方の側に設けられた反射部１６とが一体に形成されて成る。
【００２９】
遮蔽部１５はベース板７の後方において該ベース板７に対向する向きで配置され、後面にアルミ蒸着等の反射処理が施されている。
【００３０】
反射部１６は遮蔽部１５から離隔するに従って前方へ変位するように傾斜され、外面がアルミ蒸着等の反射処理が施された反射面１６ａとして形成されている。反射面１６ａには所定のステップが形成されている。
【００３１】
第２のリフレクター１０は上下に長く形成され、図２に示すように、反射部１６が後方から見て上方へ凸の縦長の略三角形状に形成されている。従って、反射部１６は下方へ行くに従って幅が広くなるように形成されている。
【００３２】
発光ダイオード１１、１１、・・・はそれぞれ第１のリフレクター９、９、・・・の取付ベース１３、１３、・・・の下面に取り付けられ、例えば、下方を向く向きで配置されている。
【００３３】
灯室５の左右方向における一端部に配置された光学ユニット６にはエクステンション１７が取り付けられ、該エクステンション１７によって光学ユニット６の第２のリフレクター１０が前方から遮蔽されている。
【００３４】
灯室５の左右方向における他端部にはエクステンション１８が配置されている。
【００３５】
灯室５の左右方向における他端部側にはエクステンション１８に連続して第２のリフレクター１０が配置されている。
【００３６】
以上のように構成された車輌用灯具１において、発光ダイオード１１、１１、・・・から光が出射されると、出射された光はそれぞれ第１のリフレクター９、９、・・・の反射部１４、１４、・・・で反射方向が制御されて反射されインナーレンズ８、８、８を透過されて第２のリフレクター１０、１０、１０へ向かい、該第２のリフレクター１０、１０、１０の反射部１６、１６、１６で反射されカバー３を透過されて外部へ照射される。
【００３７】
このとき発光ダイオード１１、１１、・・・から出射され第１のリフレクター９、９、・・・の反射部１４、１４、・・・で反射された光は、下方に位置する反射部１４、１４、・・・で反射される光ほど拡散角が大きくなるように制御されて第２のリフレクター１０、１０、１０に達する。
【００３８】
尚、上記には、発光ダイオード１１、１１、・・・を下方を向く向きで配置してそれぞれ第１のリフレクター９、９、・・・の取付ベース１３、１３、・・・に取り付けた例を示したが、逆に、図４に示すように、発光ダイオード１１、１１、・・・を上方を向く向きで配置して光を出射させることが可能である。
【００３９】
また、図５に示すように、発光ダイオード１１、１１、・・・を後方を向く向きで配置してそれぞれ第１のリフレクター９、９、・・・の取付ベース１３、１３、・・・に取り付けて光を出射させることも可能である。発光ダイオード１１、１１、・・・を後方を向く向きで配置した場合には、前後方向を向く一つの基板１９に発光ダイオード１１、１１、・・・を搭載することができるため、部品点数の削減による車輌用灯具１の製造コストの低減を図ることができる。
【００４０】
上記には、発光ダイオード１１、１１、・・・を上下方向に配列した例を示したが、発光ダイオード１１、１１、・・・の配列方向は上下方向に限られることはなく、図６に示すように、発光ダイオード１１、１１、・・・を前後方向に配列することも可能である。
【００４１】
また、発光ダイオード１１、１１、・・・を上下方向及び前後方向にマトリクス状に配列することも可能である。マトリクス状に配列することにより発光ダイオード１１、１１、・・・の数を増やすことができ、外部へ照射される輝度の向上を図ることができる。
【００４２】
以上に記載した通り、車輌用灯具１にあっては、発光ダイオード１１、１１、・・・から出射された光が第１のリフレクター９、９、・・・の反射部１４、１４、・・・で反射方向が制御されて第２のリフレクター１０、１０、１０の反射部１６、１６、１６に達する。
【００４３】
従って、発光ダイオード１１、１１、・・・から出射された光が第２のリフレクター１０、１０、１０の反射部１６、１６、１６に効率良く達するため、光の利用効率の向上を図ることができる。
【００４４】
また、車輌用灯具には、カバー３と発光ダイオード１１、１１、・・・の間に該発光ダイオード１１、１１、・・・を遮蔽する遮蔽部１２、１２、１２を配置しているため、発光ダイオード１１、１１、・・・の遮蔽性の向上による車輌用灯具１の内部構造の視認性の低下を図ることができる。
【００４５】
さらに、第２のリフレクター１０の一部を遮蔽部１２、１２、１２として用いているため、別に専用の遮蔽部を設ける必要がなく、部品点数の削減による車輌用灯具１の製造コストの低減を図ることができる。
【００４６】
さらにまた、車輌用灯具１にあっては、光学ユニット６に複数の発光ダイオード１１、１１、・・・と該複数の発光ダイオード１１、１１、・・・から出射された光をそれぞれ反射する複数の第１のリフレクター９、９、・・・とを設けているため、発光ダイオード１１、１１、・・・から出射された光の反射方向をそれぞれ第１のリフレクター９、９、・・・によって各別に制御することが可能であり、機能性の向上による出射効率の向上を図ることができる。
【００４７】
また、発光ダイオード１１を該発光ダイオード１１から出射される光を反射する第１のリフレクター９に隣り合って位置する第１のリフレクター９に取り付けているため、別に発光ダイオード１１を取り付けるための専用の取付部を設ける必要がなく、部品点数の削減による車輌用灯具１の製造コストの低減を図ることができる。
【００４８】
加えて、第２のリフレクター１０の反射部１６の幅が狭い側から広い側へ行くに従って第１のリフレクター９の反射部１４、１４、・・・で反射される光の拡散角が大きくなるようにしているため、光の利用効率の向上及び第２のリフレクター１０の反射部１６に対する光の均一性の向上を図ることができる。
【００４９】
尚、上記には、光学ユニット６にインナーレンズ８を配置した例を示したが、光学ユニットはインナーレンズを配置しない構成とすることも可能である。
【００５０】
但し、インナーレンズ８を配置することにより、発光ダイオード１１がインナーレンズ８によって側方から閉塞され、発光ダイオード１１の遮蔽性が向上され、発光ダイオード１１を含む内部構造を外部から一層見え難くすることができる。
【００５１】
また、インナーレンズ８にレンズステップを形成することにより、インナーレンズ８を透過されるときに発光ダイオード１１から出射された光の方向を制御することができ、機能性の向上を図ることも可能である。
【００５２】
さらに、車輌用灯具１にあっては、第２のリフレクター１０、１０、・・・の後側に第１のリフレクター９を配置した構成としているため、配置スペースの有効活用による車輌用灯具１の小型化を図ることが可能である。
【００５３】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００５４】
【図１】図２乃至図６と共に本発明車輌用灯具の最良の形態を示すものであり、本図は、車輌用灯具の概略水平断面図である。
【図２】車輌用灯具の概略背面図である。
【図３】車輌用灯具の概略縦断面図である。
【図４】発光ダイオードが上方を向く向きで配置された例を示す概念図である。
【図５】発光ダイオードが後方を向く向きで配置された例を示す概念図である。
【図６】発光ダイオードが前後方向に配列された例を示す概念図である。
【符号の説明】
【００５５】
１…車輌用灯具、２…ランプハウジング、３…カバー、４…灯具外筐、６…光学ユニット、９…第１のリフレクター、１０…第２のリフレクター、１１…発光ダイオード、１３…遮蔽部、１４…反射部、１６…反射部
【図１】
2010118215.tif 000003
【図２】
2010118215.tif 000004
【図３】
2010118215.tif 000005
【図４】
2010118215.tif 000006
【図５】
2010118215.tif 000007
【図６】
2010118215.tif 000008